(57)【要約】 【課題】遊技用媒体収納箱を積み重ねるとき、位置決めが容易で、かつ、ずれを生ずることなく、積層作業を容易とする。【解決手段】底部外面の環状突出部７の第１の組の角部８ａに形成され、環状突出部の表面の内縁部側より突出する内縁側コーナーリブ９と、前記環状突出部７の第２の組の角部８ｂに形成され、環状突出部の表面の外縁部側より突出する外縁側コーナーリブ１１とを備え、すべてのコーナーリブの頂点は、ほぼ同一平面上に位置し、一方の収納箱の上に他方の収納箱を載置したとき、一方の収納箱の内縁側コーナーリブ９は、他方の収納箱の外縁側コーナーリブ１１の内側に位置し、内縁側コーナーリブ９の外側面が、外縁側コーナーリブ１１の内側面に当接もしくは当接可能に近接するもので、前記環状突出部の表面は、他のリブが存在しない平坦面となっている遊技用媒体収納箱。【選択図】図３
0003126957.tif 000002
【実用新案登録請求の範囲】
【請求項１】
メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の表面の内縁部側より突出する一組の内縁側コーナーリブと、前記環状突出部の斜めに向かい合う第２の組の角部に形成されるとともに、前記環状突出部の表面の外縁部側より突出する一組の外縁側コーナーリブとを備え、さらに、前記内縁側および前記外縁側のすべてのコーナーリブの頂点は、ほぼ同一平面上に位置するとともに、前記底部外面が上方となるように配置された一方の前記遊技用媒体収納箱の上に他方の前記遊技用媒体収納箱を載置したとき、各遊技用媒体収納箱の前記内縁側コーナーリブは、他方の遊技用媒体収納箱の前記外縁側コーナーリブの内側に位置するとともに、該内縁側コーナーリブの外側面が、前記外縁側コーナーリブの内側面に当接もしくは当接可能に近接するものであり、さらに、前記内縁側コーナーリブおよび前記外縁側コーナーリブの形成部位付近を含む前記環状突出部の表面は、他のリブが存在しない平坦面となっていることを特徴とする遊技用媒体収納箱。
【請求項２】
前記矩形状の環状突出部の角部は、円弧形状となっており、前記２つの内縁側コーナーリブは、ほぼ同じ曲率の円弧状コーナーリブであり、前記２つの外縁側コーナーリブは、ほぼ同じ曲率かつ前記内縁側コーナーリブの曲率より若干小さい円弧状コーナーリブである請求項１に記載の遊技用媒体収納箱。
【請求項３】
前記各コーナーリブの突出高さは、ほぼ同じである請求項１又は２に記載の遊技用媒体収納箱。
【請求項４】
前記各コーナーリブの突出高さは、ほぼ同じであり、前記底部外面が上方となるように配置された一方の前記遊技用媒体収納箱の上に他方の前記遊技用媒体収納箱を載置したとき、前記一方の遊技用媒体収納箱の前記内縁側コーナーリブは、前記他方の遊技用媒体収納箱の前記環状突出部の表面に当接するとともに前記外縁側コーナーリブの内側に位置し、前記他方の遊技用媒体収納箱の前記外縁側コーナーリブは、前記一方の遊技用媒体収納箱の前記環状突出部の表面に当接するとともに前記内縁側コーナーリブの外側に位置するものである請求項１又は２に記載の遊技用媒体収納箱。
【請求項５】
前記環状突出部の斜めに向かい合う第２の組の角部にそれぞれ形成される前記外縁側コーナーリブの内側の前記環状突出部には、該環状突出部の内周縁部より内側に嵌合はずれ防止のための膨出部分が形成された請求項１ないし４に記載の遊技用媒体収納箱。
【考案の詳細な説明】
【技術分野】
【０００１】
この考案は、スロットメダル遊技機または弾球遊技機等遊技機において使用するメダル、パチンコ玉等遊技用媒体を入れる遊技用媒体収納箱で、底部外面を向かい合わせて嵌合させて積層可能な遊技用媒体収納箱に関する。
【背景技術】
【０００２】
従来のスロット、パチンコホールにおいて、スロット用メダル、パチンコ玉を入れる収納箱、所謂ドル箱を積み重ねるとき、遊技者やホールの従業員等が精算時にドル箱を持ち上げるとき、持ち上げやすくするために空のドル箱を裏返しに床等に置いて、その上に遊技者が獲得したメダル、パチンコ玉を一杯入れたドル箱を載せることが行われている。
しかし、従来のドル箱の底部外面に設けた矩形状の環状突出部は平らで固定できないために、ドル箱に入れたメダル、パチンコ玉の偏り、或いはドル箱に外部から力がかかる等してドル箱が傾いてメダル、パチンコ玉がこぼれたり、或いは収納箱が落下してメダル等が散乱することがあった。
また、従来、ドル箱の側面にポップストッパーを設けて、このドル箱を裏返しにして敷き、その上に同じドル箱を載せて、下に敷いたドル箱のポップストッパーと上に載せるドル箱のポップストッパーとの間にポップや広告媒体を挟み込むようにしたこと、ドル箱底面に凹凸ストッパーを設けて、ドル箱を積み上げた時、安定させ固定させて広告媒体を挟み込むものがある（特許文献１参照）。
【０００３】
【特許文献１】実用新案登録第３１１３８０６号
【考案の開示】
【考案が解決しようとする課題】
【０００４】
上記特許文献１のパチンコ玉スロットメダル収納箱は、ドル箱底面についた凹凸ストッパーによって、ドル箱を積み上げた時に、安定させ固定することが記載されているが、ドル箱の底部同士を嵌める際に合わせにくくて使い勝手が悪いという問題があった。
【０００５】
この考案は従来のこのような問題点を解消するもので、安定して置くことができ、かつ同一の収納箱の底部を向き合わせて積み重ねるとき、位置決めが容易で、積層のための方向性をもたないため積層作業が容易で使い勝手の良い遊技用媒体収納箱を提供することを目的とする。
【課題を解決するための手段】
【０００６】
この考案の請求項１の遊技用媒体収納箱は、メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の表面の内縁部側より突出する一組の内縁側コーナーリブと、前記環状突出部の斜めに向かい合う第２の組の角部に形成されるとともに、前記環状突出部の表面の外縁部側より突出する一組の外縁側コーナーリブとを備え、さらに、前記内縁側および前記外縁側のすべてのコーナーリブの頂点は、ほぼ同一平面上に位置するとともに、前記底部外面が上方となるように配置された一方の前記遊技用媒体収納箱の上に他方の前記遊技用媒体収納箱を載置したとき、各遊技用媒体収納箱の前記内縁側コーナーリブは、他方の遊技用媒体収納箱の前記外縁側コーナーリブの内側に位置するとともに、該内縁側コーナーリブの外側面が、前記外縁側コーナーリブの内側面に当接もしくは当接可能に近接するものであり、さらに、前記内縁側コーナーリブおよび前記外縁側コーナーリブの形成部位付近を含む前記環状突出部の表面は、他のリブが存在しない平坦面となっていることを特徴とする。
【０００７】
請求項２の考案は、請求項１において、前記矩形状の環状突出部の角部は、円弧形状となっており、前記２つの内縁側コーナーリブは、ほぼ同じ曲率の円弧状コーナーリブであり、前記２つの外縁側コーナーリブは、ほぼ同じ曲率かつ前記内縁側コーナーリブの曲率より若干小さい円弧状コーナーリブである。
請求項３の考案は、請求項１又は２において、前記各コーナーリブの突出高さは、ほぼ同じである。
【０００８】
請求項４の考案は、請求項１又は２において、前記各コーナーリブの突出高さは、ほぼ同じであり、前記底部外面が上方となるように配置された一方の前記遊技用媒体収納箱の上に他方の前記遊技用媒体収納箱を載置したとき、前記一方の遊技用媒体収納箱の前記内縁側コーナーリブは、前記他方の遊技用媒体収納箱の前記環状突出部の表面に当接するとともに前記外縁側コーナーリブの内側に位置し、前記他方の遊技用媒体収納箱の前記外縁側コーナーリブは、前記一方の遊技用媒体収納箱の前記環状突出部の表面に当接するとともに前記内縁側コーナーリブの外側に位置するものである。
【０００９】
請求項５の考案は、請求項１ないし４のいずれかにおいて、前記環状突出部の斜めに向かい合う第２の組の角部にそれぞれ形成される前記外縁側コーナーリブの内側の前記環状突出部には、該環状突出部の内周縁部より内側に嵌合はずれ防止のための膨出部分が形成されたものである。
【考案の効果】
【００１０】
この考案の請求項１の遊技用媒体収納箱によれば、２つの前記内縁側コーナーリブの頂点および２つの前記外縁側コーナーリブの頂点は、ほぼ同一平面上に位置するものとなっているので、単独にて床等においたときに、収納箱が傾くことがなく、また、コーナーリブに起因するガタツキがない。同一の収納箱の底部を向き合わせて積み重ねるときに、前記内縁側コーナーリブは、他方の遊技用媒体収納箱の前記外縁側コーナーリブの内側に位置するとともに、該内縁側コーナーリブの外側面が、前記外縁側コーナーリブの内側面に当接もしくは当接可能に近接するので、ずれることなく安定した積み重ね状態となり、スロットメダル、パチンコ玉等の遊技用媒体がこぼれたりすることを防止できる。前記内縁側コーナーリブおよび前記外縁側コーナーリブの形成部位付近を含む前記環状突出部の表面は、他のリブが存在しない平坦面としてあるので、収納箱の底部を向き合わせて積み重ねるとき、コーナーリブの位置決めが容易で、積層のための方向性をもたないため積層作業が容易で使い勝手が良い。さらに、遊技用媒体の精算時に遊技用媒体を入れた遊技用媒体収納箱を運ぶとき、底部を上向きとした収納箱の上に載せてあるので、遊技者或いは従業員等が持ち上げやすい。
【００１１】
請求項２の考案によれば、前記矩形状の環状突出部の角部は、円弧形状となっており、前記内縁側コーナーリブは、ほぼ同じ曲率の円弧状コーナーリブであり、前記外縁側コーナーリブは、ほぼ同じ曲率かつ前記内縁側コーナーリブの曲率より若干小さい円弧状コーナーリブであるから、相互に嵌めやすく、しかも、係止保持する役割を果たし、重ねた収納箱にずれを生ずることなく、定位置を安定して維持できる。
また、請求項３の考案によれば、前記各コーナーリブの突出高さは、ほぼ同じであるから、収納箱の底部の内縁側コーナーリブと外縁側コーナーリブを環状突出部の表面に相互に受け止めでき、安定して積み上げできる。
【００１２】
請求項４の考案によれば、収納箱の底部を向き合わせて積み重ねるとき、前記一方の遊技用媒体収納箱の前記内縁側コーナーリブは、前記他方の遊技用媒体収納箱の前記環状突出部の表面に当接するとともに前記外縁側コーナーリブの内側に位置し、前記他方の遊技用媒体収納箱の前記外縁側コーナーリブは、前記一方の遊技用媒体収納箱の前記環状突出部の表面に当接するとともに前記内縁側コーナーリブの外側に位置するので、突出高さをほぼ同じとした内縁側コーナーリブと外縁側コーナーリブを相互に係合させるとともに環状突出部の表面に相互に受け止めでき、安定して積み上げできる。
【００１３】
さらに、請求項５の考案によれば、第２の組の角部の外縁側コーナーリブの内側の前記環状突出部の内周縁部より内側に嵌合はずれ防止のための膨出部分が形成されたので、環状突出部の膨出部分の個所の表面が広くなり、収納箱の底部を向き合わせて積み重ねるとき、嵌め合わせるコーナーリブが外れることなく確実かつ容易に当接できるので便利である。
【考案を実施するための最良の形態】
【００１４】
この考案の最良の実施形態を図面に基づいて説明する。図１はこの考案の遊技用媒体収納箱の斜視図、図２は同正面図、図３は同平面図、図４は図３のＡ−Ａ断面図、図５は同底面図、図６は遊技用媒体収納箱の底部に設けた環状突出部の角部の内縁側コーナーリブの拡大底面図、図７は図６のＸ−Ｘの断面図、図８は遊技用媒体収納箱の底部に設けた環状突出部に設けた角部の外縁側コーナーリブの拡大底面図、図９は図８のＹ−Ｙの断面図、図１０は遊技用媒体収納箱の底部に設けた環状突出部の角部の内縁側コーナーリブと、外縁側コーナーリブを遊嵌した断面図を示す。
【００１５】
図１ないし図４において、この考案の遊技用媒体収納箱１は、メダル遊技機または弾球遊技機に使用される遊技用媒体を収納するための遊技用媒体収納箱である。遊技用媒体収納箱１は、例えば、スロット用メダルを約８００枚収容可能な略矩形状の合成樹脂製収納箱で、両側に取手２が設けられている。前記収納箱１は、上部の開口３から底部４までの周壁が傾斜状として上部が下部より広く形成され、底部４に外面より下方に突出する矩形状の環状突出部７が一体に形成されて、２つの遊技用媒体収納箱を底部外面を向かい合わせて積層可能とする。
遊技用媒体収納箱１と取手２は透明或いは半透明とするのが好ましい。遊技用媒体収納箱の色彩を多種類とすることにより遊技者が好みの色彩の収納箱を選択でき、或いはホールの営業者等にとって、遊技者等が遊技で獲得したメダル等遊技用媒体が一杯となった収納箱を積み重ねて置くことにより、当たりが多く出ていることを見せ、また、色々の色彩の遊技用媒体収納箱を積み重ねるとカラフルにできる。  
前記取手２は両側に断面Ｕ型部が形成され、その中央部の上面は開口３の上端より僅かな傾斜が設けられて表面が滑り止め面２ａとされ、その滑り止め面２ａの端部から前記Ｕ型に合わせて下方に湾曲してほぼ環状に形成した握り部２ｂが前記滑り止め面２ａの下面まで設けられ、かつ、この握り部２ｂと遊技用媒体収納箱１の外面との間に指の先を入れるための空間２ｃが設けられている。前記握り部２ｂは掌の指の形状に合わせた波形状として握りやすくするのが好ましい。また両側の断面Ｕ型部の下面と遊技用媒体収納箱１の外面とに取手２を補強し、かつ遊技機の受け皿の縁等に掛けるための掛止め孔２ｄを設けた支持部２ｅが設けられている。
遊技用媒体収納箱１の底部４は長手方向の中央部を任意の幅高くして両側へ傾斜状として両側を低く形成してあり、その底面上に多数のメダルを俵状に並べて収納できるようにしてある。実施形態では遊技用媒体収納箱１の底面を長手方向の中央を任意の幅高くしてあるが、これに限られるものでなく、全体を平らにしても良い。
前記開口３の上部前後には所定幅の縁部５が形成され、該縁部より下方へ折り返した形状の引掛部６が形成され、遊技の際に遊技用媒体収納箱１の引掛部６を例えば、遊技機の受皿の縁等に引っ掛けることができるようにするのが好ましい。この引掛部６には広告板等を挿入することもできる。実施形態では引掛部を設けたが、引掛部はないものでもよい。前記遊技用媒体収納箱は、前記構造に限るものではない。
【００１６】
図１ないし図１０において、この考案の遊技用媒体収納箱は、２つの前記遊技用媒体収納箱１を底部外面を向かい合わせて積層可能な遊技用媒体収納箱１であって、該遊技用媒体収納箱１は、前記底部外面より下方に突出する矩形状の環状突出部７と、該環状突出部７の斜めに向かい合う第１の組の角部８ａに形成されるとともに、前記環状突出部７の表面の内縁部側より突出する一組の内縁側コーナーリブ９と、前記環状突出部７の斜めに向かい合う第２の組の角部８ｂに形成されるとともに、前記環状突出部７の表面の外縁部側より突出する一組の外縁側コーナーリブ１１とが備えられている。
第１の組の角部８ａと第２の組の角部８ｂはそれぞれ矩形状の環状突出部の対角線に位置する。
そして、前記２つの前記内縁側コーナーリブ９の頂点および２つの前記外縁側コーナーリブ１１の頂点は、ほぼ同一平面上に位置するものとなっている。
前記底部外面が上方となるように配置された一方の前記遊技用媒体収納箱１の上に他方の前記遊技用媒体収納箱１を載置したとき、各遊技用媒体収納箱の前記内縁側コーナーリブ９は、他方の遊技用媒体収納箱の前記外縁側コーナーリブ１１の内側に位置するとともに、該内縁側コーナーリブ９の外側面が、前記外縁側コーナーリブ１１の内側面に当接もしくは当接可能に近接するように設けられ、収納箱のコーナーリブが相互にずれることなく安定して積み重ねできるようにする。
さらに、前記内縁側コーナーリブ９および前記外縁側コーナーリブ１１の形成部位付近を含む前記環状突出部の表面は、他のリブが存在しない平坦面とされ、収納箱の底部を向き合わせて重ねるときに、収納箱の底部のコーナーリブを位置決めしやすく、嵌めやすくしてある。
【００１７】
図５ないし図１０に示すように、前記矩形状の環状突出部７の角部８ａ、８ｂは、円弧形状となっており、前記２つの内縁側コーナーリブ９は、ほぼ同じ曲率の円弧状コーナーリブであり、前記２つの外縁側コーナーリブ１１は、ほぼ同じ曲率かつ前記内縁側コーナーリブ９の曲率より若干小さい円弧状コーナーリブである。外縁側の円弧状コーナーリブ１１が内縁側の円弧状コーナーリブ９より若干長い円弧に設けられている。すなわち、内縁側の円弧状コーナーリブ９と、外縁側の円弧状コーナーリブ１１の両端までが、例えば円弧の中心角θが約９０度の範囲に設けられている。
前記各コーナーリブの突出高さは、ほぼ同じに設けられ、収納箱１を置いたとき、傾いたり、がたつくことはないようにしてある。遊技用媒体収納箱１では、底部４外面より下方に突出する矩形状の環状突出部７は同一高さとされており、内縁側コーナーリブ９又は外縁側コーナーリブ１１の突出高さは該環状突出部７の下面より同一に設けられ、相互に当接もしくは当接可能に近接可能に設けられている。前記遊技用媒体収納箱１の底部４の中央部を若干高くした場合も、環状突出部７の下面は真っ直ぐとなるように形成され、その突出部の角部８ａと８ｂに前記と同様のコーナーリブが設けられる。矩形状の環状突出部７の高さに高低がある場合でも、２つの前記内縁側コーナーリブ９の頂点および２つの前記外縁側コーナーリブ１１の頂点は、ほぼ同一平面上に位置するものとするので、遊技用媒体収納箱１を置いたとき、傾いたり、がたつくことはない。
【００１８】
図６および図７に示すように、前記第１の組の角部８ａには、内縁側の円弧状コーナーリブ９が幅狭の線状で前記環状突出部７の内側周縁部分の表面に一体に形成され、内縁側の円弧状コーナーリブ９の内側には環状突出部７の表面に外縁側コーナーリブ１１を受ける受け面１０が形成されている。該受け面１０は環状突出部７の表面である。実施形態の内縁側の円弧状コーナーリブ９は、外縁側コーナーリブ１１に近接させるために、環状突出部７の内周縁部より若干外側に寄った位置に形成されている。
前記環状突出部の斜めに向かい合う第２の組の角部８ｂには、外縁側の円弧状コーナーリブ１１が幅狭の線状で前記環状突出部７の外側周縁部分の表面に前記第１の組の角部８ａの円弧とほぼ同じ曲率で形成されており、かつ、外縁側の円弧状コーナーリブ１１の内側には環状突出部７の下面に内縁側コーナーリブ９を受ける受け面１２が形成されている。
図８および図９に示すように、第２の組の角部８ｂにそれぞれ形成される外縁側の円弧状コーナーリブ１１は、前記環状突出部７の外周面の延長した面を外周面として突出させて形成されており、かつ該環状突出部７の内周縁部には、内側に嵌合はずれ防止のための膨出部分１３が形成されている。そして、環状突出部７の表面と、内周縁部より内側に形成される膨出部分１３の表面が同一面とされて広い平坦面（受け面）が形成される。すなわち受け面１２は環状突出部７と膨出部分１３の表面で平坦な面とされている。膨出部分１３は、環状突出部７の角部の円弧面に沿って、外縁側の円弧状コーナーリブ１１の円弧の範囲で、一定の肉厚で円弧状に形成するのが好ましい。  
従って、第２の組の角部８ｂの環状突出部７は、内側に円弧状の膨出部分１３が形成されて、肉厚が厚くなり、表面の幅が広くなるので、同一の収納箱の底部を向き合わせて積み重ねるとき、内縁側コーナーリブ９が表面より外れることなく簡単に当接できるので位置決めが容易であり、また環状突出部の角部の補強となり、環状突出部、コーナーリブの破損を防ぐことができる。また、膨出部分１３は環状突出部７の第２の組の角部８ｂにだけ設けるので、収納箱の重さはごく僅か増加するだけであり、持ち運びに不都合を生じることがない。
図７、図９、図１０に示すように前記内縁側の円弧状コーナーリブ９の高さＨと外縁側コーナーリブ１１の高さＨとを同じとして、内縁側コーナーリブ９の頂点が受け面１２に当接時、外縁側コーナーリブ１１の頂点が受け面１０に当接されて相互に受け止めできる。
なお、実施例では、第２の組の角部８ｂにそれぞれ形成される円弧状の外縁側コーナーリブ１１の環状突出部７の内側に膨出部分を一体形成した場合を説明したが、これに限られるものでなく、例えば、第１の組の角部８ａにそれぞれ形成される円弧状の内縁側コーナーリブ９の環状突出部の外側に嵌合はずれ防止のための膨出部分を設けることもできる。また、第１の組の角部８ａにそれぞれ形成される円弧状の内縁側コーナーリブ９は、前記構造に限るものではなく、例えば、環状突出部７の内周縁の延長上に設けることもできる。
【００１９】
（実施例）
実施例の遊技用媒体収納箱１の底部４の矩形状の環状突出部７は、肉厚が約３ｍｍで高さが約５ｍｍ、一辺の長さが約１１ｃｍの場合で、角部８ａ、８ｂの円弧の内面の半径は約１ｃｍ以上として係合代が十分となるようにして横方向の力が加わるもずれないようにするのが好ましい。外縁側コーナーリブ１１の内側の前記環状突出部７の膨出部分１３の厚みは約１ｍｍ〜２ｍｍとされている。前記内縁側コーナーリブ９、外縁側コーナーリブの肉厚は約１ｍｍ、高さ約１ｍｍとされている。
【００２０】
図１１は２つの同じ遊技用媒体収納箱の底部を向き合わせて示す斜視図、図１２は底部を上向きとした遊技用媒体収納箱の上に同じ遊技用媒体収納箱を載置した状態の正面図、図１３は図１２のＢ−Ｂの断面図を示す。
図１１ないし図１３において、この考案の遊技用媒体収納箱１を底部を上向きにして置き、その上に同じ遊技用媒体収納箱１を載せて置く場合について説明する。すなわち、前記底部４外面が上方となるように配置された前記遊技用媒体収納箱１の上に他の前記遊技用媒体収納箱１を載置したとき、前記内縁側コーナーリブ９は、前記外縁側コーナーリブ１１の外側に当接され、受け面１２に受けられ、外縁側コーナーリブ１１は内縁側コーナーリブ９の内側に当接され、受け面１０に受けられる。
【００２１】
前記したこの考案の構造によれば、２つの前記内縁側コーナーリブ９の頂点および２つの前記外縁側コーナーリブ１１の頂点は、ほぼ同一平面上に位置するものとなっているので、単独にて床等においたときに、収納箱が傾くことがなく、また、コーナーリブに起因するガタツキがない。
また、２つの収納箱を上記のように積み重ねるとき、前記内縁側コーナーリブ９は、他方の遊技用媒体収納箱の前記外縁側コーナーリブ１１の内側に位置するとともに、該内縁側コーナーリブ９の外側面が、前記外縁側コーナーリブ１１の内側面に当接もしくは当接可能に近接するものとなるので、ずれることなく安定した積み重ね状態となり、スロットメダル、パチンコ玉等の遊技用媒体がこぼれたりすることを防止できる。また遊技用媒体の精算時に遊技用媒体を入れた遊技用媒体収納箱を運ぶとき、開口を下とした収納箱の上に載せてあるので、遊技者或いは従業員等が持ち上げやすい。
また、前記内縁側コーナーリブ９および前記外縁側コーナーリブ１１の形成部位付近を含む前記環状突出部の表面は、他のリブが存在しない平坦面としてあるので、一つの収納箱を底部外面が上方となるように配置されて台としてその上に他の収納箱を積み重ねるとき、コーナーリブの位置決めが容易で、積層のための方向性をもたないため積層作業が容易である。
【００２２】
また、前記突出部７に設ける角部８ａの内縁側コーナーリブ９と、角部８ｂの外縁側コーナーリブ１１は同じ高さとしたので、底部を上向きとした遊技用媒体収納箱１の上に同じ遊技用媒体収納箱１載せて内縁側コーナーリブ９と外縁側コーナーリブ１１を相互に遊嵌したとき、内縁側コーナーリブ９と外縁側コーナーリブ１１で対向側の遊技用媒体収納箱の四隅の角部を受け止めるので、安定して積層できる。
且つ又、前記突出部の四隅の角部８ａ、８ｂは円弧状に形成されており、内縁側コーナーリブ９と外縁側コーナーリブ１１もほぼ同じ曲率の円弧に設けられ、相互に遊嵌することにより遊技用媒体収納箱を係止保持する役割を果たし、遊技用媒体収納箱がずれを生ずることがない。
第２の組の角部８ｂの環状突出部７は、内側に円弧状の膨出部分１３が形成されて、受け面１２の幅が広くなるので、同一の収納箱の底部を向き合わせて積み重ねるとき、内縁側コーナーリブが広い受け面より外れることなく確実かつ容易に当接でき、位置決めをし易い。また、膨出部分を設けることにより環状突出部の角部の補強となり、収納箱が堅牢にできる。
【００２３】
以上の実施形態を示したが、この考案はこの形態に限定されるものではなく、この考案の要旨を逸脱しない範囲で、種々の形態を実施しうるものである。    
【図面の簡単な説明】
【００２４】
【図１】この考案の遊技用媒体収納箱の斜視図である。
【図２】同正面図である。
【図３】同平面図である。
【図４】図３のＡ−Ａ断面図である。
【図５】同底面図である。
【図６】遊技用媒体収納箱の底部に設けた環状突出部の角部の内縁側コーナーリブの拡大底面図である。
【図７】図６のＸ−Ｘ断面図である。
【図８】遊技用媒体収納箱の底部に設けた環状突出部に設けた角部の外縁側コーナーリブの拡大底面図である。
【図９】図８のＹ−Ｙ断面図である。
【図１０】遊技用媒体収納箱の底部に設けた環状突出部の角部の内縁側コーナーリブと、外縁側コーナーリブを遊嵌した断面図同底面図である。
【図１１】２つの同じ遊技用媒体収納箱の底部同士を向き合わせて示す斜視図である。
【図１２】底部を上向きにした遊技用媒体収納箱の上に同じ遊技用媒体収納箱を底部同士を遊嵌して載置した状態の正面図である。
【図１３】図１２のＢ−Ｂ断面図ある。
【符号の説明】
【００２５】
１  遊技用媒体収納箱
２  取手
４  底部
７  環状突出部
８ａ  角部
８ｂ  角部
９  内縁側コーナーリブ
１０  受け面
１１  外縁側コーナーリブ
１２  受け面
１３  膨出部分
【図１】
0003126957.tif 000003
【図２】
0003126957.tif 000004
【図３】
0003126957.tif 000005
【図４】
0003126957.tif 000006
【図５】
0003126957.tif 000007
【図６】
0003126957.tif 000008
【図７】
0003126957.tif 000009
【図８】
0003126957.tif 000010
【図９】
0003126957.tif 000011
【図１０】
0003126957.tif 000012
【図１１】
0003126957.tif 000013
【図１２】
0003126957.tif 000014
【図１３】
0003126957.tif 000015
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の表面の内縁部側より突出する一組の内縁側コーナーリブと、前記環状突出部の斜めに向かい合う第２の組の角部に形成されるとともに、前記環状突出部の表面の外縁部側より突出する一組の外縁側コーナーリブとを備え、さらに、前記内縁側および前記外縁側のすべてのコーナーリブの頂点は、ほぼ同一平面上に位置するとともに、前記底部外面が上方となるように配置された一方の前記遊技用媒体収納箱の上に他方の前記遊技用媒体収納箱を載置したとき、各遊技用媒体収納箱の前記内縁側コーナーリブは、他方の遊技用媒体収納箱の前記外縁側コーナーリブの内側に位置するとともに、該内縁側コーナーリブの外側面が、前記外縁側コーナーリブの内側面に当接もしくは当接可能に近接するものであり、さらに、前記内縁側コーナーリブおよび前記外縁側コーナーリブの形成部位付近を含む前記環状突出部の表面は、他のリブが存在しない平坦面となっていることを特徴とする遊技用媒体収納箱。
【請求項２】
前記矩形状の環状突出部の角部は、円弧形状となっており、前記２つの内縁側コーナーリブは、ほぼ同じ曲率の円弧状コーナーリブであり、前記２つの外縁側コーナーリブは、ほぼ同じ曲率かつ前記内縁側コーナーリブの曲率より若干小さい円弧状コーナーリブである請求項１に記載の遊技用媒体収納箱。
【請求項３】
前記各コーナーリブの突出高さは、ほぼ同じである請求項１又は２に記載の遊技用媒体収納箱。
【請求項４】
前記各コーナーリブの突出高さは、ほぼ同じであり、前記底部外面が上方となるように配置された一方の前記遊技用媒体収納箱の上に他方の前記遊技用媒体収納箱を載置したとき、前記一方の遊技用媒体収納箱の前記内縁側コーナーリブは、前記他方の遊技用媒体収納箱の前記環状突出部の表面に当接するとともに前記外縁側コーナーリブの内側に位置し、前記他方の遊技用媒体収納箱の前記外縁側コーナーリブは、前記一方の遊技用媒体収納箱の前記環状突出部の表面に当接するとともに前記内縁側コーナーリブの外側に位置するものである請求項１又は２に記載の遊技用媒体収納箱。
【請求項５】
前記環状突出部の斜めに向かい合う第２の組の角部にそれぞれ形成される前記外縁側コーナーリブの内側の前記環状突出部には、該環状突出部の内周縁部より内側に嵌合はずれ防止のための膨出部分が形成された請求項１ないし４のいずれか１項に記載の遊技用媒体収納箱。